(57)【要約】【課題】送りローラの高速回転を可能にすべく所要流量の圧油を油圧モータに供給できるようにした木材送り装置を提供する。【解決手段】木材の高速送りを可能にするため、油圧ポンプから左右の送りローラの油圧モータに供給されるべき圧油の流量を、放出弁の開放により増量させるためのアキュムレータを増設してなる、木材送り装置。【選択図】図１
2019088224.tif 000002
【特許請求の範囲】
【請求項１】
木材の高速送りを可能にするため、油圧ポンプから左右の送りローラの油圧モータに供給されるべき圧油の流量を、放出弁の開放により増量させるためのアキュムレータを増設してなる、林業用ハーベスターにおける木材送り装置。
【請求項２】
材木送り装置は、左右の送りローラと中ローラとを含み、左右の送りローラの油圧モータの各々は、中ローラの一対の油圧モータの各々と油圧回路上直列に連結され、左右の送りローラの油圧モータは、その供給側で油圧回路上並列に連結され、中ローラの一対の油圧モータは、吐き出し側で油圧回路上並列に連結され、油圧ポンプによって圧送され、切換え弁のポートから出た圧油は、送りローラの油圧モータに供給され、続いて送りローラの油圧モータから吐き出された圧油は、中ローラの油圧モータに供給され、油圧モータから吐き出された圧油は切換え弁のポートに戻るようになっており、油圧ポンプと切換え弁との間の油圧回路に、アキュムレータが放出弁と共に設けられている、林業用ハーベスターにおける木材送り装置。
【請求項３】
木材送り装置は、左右２つずつの送りローラと２つの中ローラとを含み、左右２つずつの送りローラの油圧モータの各々は、２つの中ローラのそれぞれ一対の油圧モータの各々と油圧回路上直列に連結され、左右２つずつの送りローラの油圧モータは、供給側で油圧回路上並列に連結され、２つの中ローラのそれぞれ一対の油圧モータは、吐き出し側で油圧回路上並列に連結され、２つの中ローラのそれぞれ一対の油圧モータは、吐き出し側で油圧回路上並列に連結され、油圧ポンプによって圧送され、切換え弁のポートから出た圧油は、送りローラの油圧モータに供給され、続いて送りローラの油圧モータから吐き出された圧油は、中ローラの油圧モータに供給され、油圧モータから吐き出された圧油は切換え弁のポートに戻るようになっており、油圧ポンプと切換え弁との間の油圧回路に、アキュムレータが放出弁と共に設けられている、林業用ハーベスターにおける木材送り装置。
【請求項４】
木材送り装置は、左右２つずつの送りローラを含み、左右２つずつの送りローラの油圧モータは、それぞれ油圧回路上並列に連結され、左右の送りローラの油圧モータは、供給側および吐き出し側で油圧回路上並列に連結され、油圧ポンプによって圧送され、切換え弁のポートから出た圧油は、送りローラの油圧モータに供給され、続いて送りローラの油圧モータから吐き出された圧油は、切換え弁のポートに戻るようになっており、油圧ポンプと切換え弁との間の油圧回路に、アキュムレータが放出弁と共に設けられている、林業用ハーベスターにおける木材送り装置。
【請求項５】
木材送り装置は、油圧モータによって回転される左右送りローラを含み、左右送りローラの油圧回路は、供給側および吐き出し側で油圧回路上並列に連結され、油圧ポンプによって圧送され、切換え弁のポートから出た圧油は、送りローラの油圧モータに供給され、続いて送りローラの油圧モータから吐き出された圧油は、切換え弁のポートに戻るようになっており、油圧ポンプと切換え弁との間の油圧回路に、アキュムレータが放出弁と共に設けられている、林業用ハーベスターにおける木材送り装置。
【発明の詳細な説明】
【技術分野】
【０００１】
本発明は、横倒しにした木材を枝払いしながら所定寸法に切断して材木にするのに用いられる林業用ハーベスターに関し、特に、林業用ハーベスターにおける木材送り装置に関する。
【背景技術】
【０００２】
国際公開第２０１０／１４３０７６号（公知文献１）、日本国特許第５９１４９５８号明細書（公知文献２）などに開示されている。これらの公知文献に記載のハーベスターは、基本的には、ブームから懸垂支持されたハーベスター本体に装着された固定上カッターと、左右に開閉するように操作され、それぞれサイドカッターを有するカッターアームと、同様に開閉するように操作され、左右の可逆式油圧モータにより回転駆動される左右の送りローラと、左右に開閉するように操作されるクランプアームと、切断操作にあたってスイングするようになった動力チエーンソーと、を含む。ハーベスター本体には、開閉操作される左右の送りローラと共同して木材のより円滑な送りを可能にするために、ハーベスター本体の長手方向中心上に中ローラが設けられる。中ローラは、左右の油圧モータで回転駆動されるようになっている。別の例では中ローラは必要とされない。
【０００３】
パワーシャベルは、多くの油圧器機を作動する圧油を発生させる単一の油圧ポンプを含む。この油圧ポンプは、パワーシャベルのブームに装着される林業用ハーベスターにおける左右の送りローラの油圧モータに圧油を供給するのにも使用される。パワーシャベルに装備される油圧ポにンプは、一般的には、パワーシャベルの機種に応じて選定された容量のものである。
【０００４】
林業用ハーベスターでは、作業能率の観点から木材を高速で送ることが要請されるが、其れには、送りローラの回転数を高める必要がある。しかし、パワーシャベルの油圧ポンプは、送りローラを高速で回転させるのに十分な流量の圧油を油圧モータに供給することができず、したがって油圧モータを希望通り高速回転させることは不可能である。
【発明の概要】
【発明が解決しようとする課題】
【０００５】
本発明の目的は、送りローラの高速回転を可能にすべく所要流量の圧油を油圧モータに供給できるようにした木材送り装置を提供することにある。
【課題を解決するための手段】
【０００６】
本発明のかかる目的は、木材の高速送りを可能にするため、油圧ポンプから左右の送りローラの油圧モータに供給されるべき圧油の流量を、放出弁の開放により増量させるためのアキュムレータを増設してなる、木材送り装置を提供することによって達成される。
【０００７】
本発明によれば、木材送り装置は、左右の送りローラと中ローラとを含み、左右の送りローラの油圧モータの各々は、中ローラの一対の油圧モータの各々と油圧回路上直列に連結され、左右の送りローラの油圧モータは、その供給側で油圧回路上並列に連結され、中ローラの一対の油圧モータは、その吐き出し側で油圧回路上並列に連結される。油圧ポンプによって圧送され、切換え弁のポートから出た圧油は、送りローラの油圧モータに供給され、続いて送りローラの油圧モータから吐き出された圧油は、中ローラの油圧モータに供給され、油圧モータから吐き出された圧油は切換え弁のポートに戻るようになっており、油圧ポンプと切換え弁との間の油圧回路に、アキュムレータが放出弁と共に設けられている、木材送り装置を提供する。
【０００８】
本発明の他の実施態様によれば、木材送り装置は、左右２つずつの送りローラと２つの中ローラとを含み、左右２つずつの送りローラの油圧モータの各々は、２つの中ローラのそれぞれ一対の油圧モータの各々と油圧回路上直列に連結され、左右２つずつの送りローラの油圧モータは、供給側で油圧回路上並列に連結され、２つの中ローラのそれぞれ一対の油圧モータは、吐き出し側で油圧回路上並列に連結される。油圧ポンプによって圧送され、切換え弁のポートから出た圧油は、送りローラの油圧モータに供給され、続いて送りローラの油圧モータから吐き出された圧油は、中ローラの油圧モータに供給され、油圧モータから吐き出された圧油は切換え弁のポートに戻るようになっており、油圧ポンプと切換え弁との間の油圧回路に、アキュムレータが放出弁と共に設けられている、木材送り装置を提供する。
【０００９】
本発明の更に他の実施態様によれば、木材送り装置は、左右２つずつの送りローラを含み、左右２つずつの送りローラの油圧モータは、それぞれ油圧回路上並列に連結され、左右の送りローラの油圧モータは、供給側および吐き出し側で油圧回路上並列に連結される。油圧ポンプによって圧送され、切換え弁のポートから出た圧油は、送りローラの油圧モータに供給され、続いて送りローラの油圧モータから吐き出された圧油は、切換え弁のポートに戻るようになっており、油圧ポンプと切換え弁との間の油圧回路に、アキュムレータが放出弁と共に設けられている、木材送り装置を提供する。
【００１０】
本発明の更に他の実施態様では、木材送り装置は、油圧モータによって回転される左右送りローラを含み、左右送りローラの油圧回路は、供給側および吐き出し側で油圧回路上並列に連結される。油圧ポンプによって圧送され、切換え弁のポートから出た圧油は、送りローラの油圧モータに供給され、続いて送りローラの油圧モータから吐き出された圧油は、切換え弁のポートに戻るようになっており、油圧ポンプと切換え弁との間の油圧回路に、増量アキュムレータが放出弁と共に設けられている、木材送り装置を提供する。
【００１１】
［作用］
本発明の木材送り装置によれば、油圧ポンプからの圧油は、増設されたアキュムレータに貯留され、左右の送りローラの油圧モータに供給されるべき圧油の流量を、貯留された圧油を、放出弁の開放により放出されて増量させる。そのため、本発明の木材送り装置は、左右の送りローラにより木材の高速送りを可能にする。
【図面の簡単な説明】
【００１２】
【図１】本発明による林業用ハーべスターの送り装置の油圧回路の図。
【図２】本発明による林業用ハーべスターの送り装置の他の油圧回路の図。
【図３】本発明による林業用ハーべスターの送り装置の更に他の油圧回。
【図４】本発明による林業用ハーべスターの送り装置の更に他の油圧回。
【発明を実施するための形態】
【００１３】
図１を参照すると、本発明が関係するハーベスターの木材送り装置の油圧回路の１つの実施態様が示されている。この実施態様では、木材送り装置は、左右の送りローラ２，３と中ローラ４とを含む。左右の送りローラ２，３の油圧モータＲ１，Ｌ１は、中ローラ４の一対の油圧モータＲ２，Ｌ２とそれぞれ油圧回路上直列に連結され、左右の送りローラ２，３の油圧モータＲ１，Ｌ１は、供給側が油圧回路上並列に連結され、中ローラ４の一対の油圧モータＲ２，Ｌ２は、吐き出し側が油圧回路上並列に連結される。かくして、油圧ポンプＰによって圧送され、切換え弁Ｖの切換えによりそのＢポートから出た圧油は、油圧モータＲ１，Ｌ１を回転駆動し、続いて油圧モータＲ１,L１から吐き出された圧油は、油圧モータＲ２，Ｌ２を回転駆動し、油圧モータＲ２，Ｌ２から吐き出された圧油は切換え弁のＡポートに戻るようになっている。
【００１４】
油圧ポンプＰと切換え弁Ｖとの間の油圧回路には、アキュムレータＱが設けられ、アキュムレータＱの上流には、放出弁Ｈが設けられている。放出弁Ｈは、逆止弁Cを有し、油圧ポンプＰからの圧油の一部はこの逆止弁を通ってアキュムレータＱに流入して貯留される。放出弁Ｈは、切換え弁Ｖの切換えと同期して操作されるようになっている。かくして、アキュムレータＱは、放出弁Ｈにより開放されてその中に貯留された圧油を放出し、これにより油圧ポンプＰから左右の送りローラの油圧モータに供給される圧油の流量を増量させる。そのため、油圧モータが高速回転し、その送りローラにより、木材を高速で送ることを可能にする。その際中ローラ４は、左右一対の油圧モータにより回転され木材の送りを補助する。
【００１５】
図２を参照すると、本発明による木材送り装置の他の実施態様が示されている。この実施態様では、送り装置は、左右２つずつの送りローラ２ａおよび２ｂ，３ａおよび３ｂと２つの中ローラ４ａ．４ｂとを含み、左右２つずつの送りローラの油圧モータＲ１ａ，Ｒ１ｂとＬ１ａ，Ｌ１ｂの各々は、２つの中ローラのそれぞれ一対の油圧モータＲ２ａ，Ｒ２ｂとＬ２ａ，Ｌ２ｂの各々と油圧回路上直列に連結され、左右２つずつの送りローラの油圧モータは、供給側が油圧回路上並列に連結され、２つの中ローラのそれぞれ一対の油圧モータは、吐き出し側が油圧回路上並列に連結される。油圧ポンプＰによって圧送され、切換え弁ＶのＢポートから出た圧油は、送りローラ２ａ，２ｂの油圧モータＲ１ａ，Ｌ１ｂに、また送りローラ３ａ，３ｂの油圧モータＬ１ａ，Ｌ１ｂに供給され、続いて送りローラの油圧モータから吐き出された圧油は、中ローラの油圧モータＲ２ａ，Ｒ２ｂに、また油圧モータＬ２ａ，Ｌ２ｂに供給され、油圧モータから吐き出された圧油は切換え弁ＶのＡポートに戻るようになっている。油圧ポンプと切換え弁との間の油圧回路には、図１の実施態様におけると同様にアキュムレータＱが設けられ、その上流には、逆止弁Ｃを有する放出弁Ｈが設けられている。アキュムレータの働きは、図１の実施態様におけるのと同じである。
【００１６】
図３は、本発明による木材送り装置の更に他の実施態様の油圧回路を示す。この実施態様では、木材送り装置は、左右２つずつの送りローラ２ａおよび２ｂ，３ａおよび３ｂを含み、左右２つずつの送りローラの油圧モータＲ１ａ，Ｒ１ｂおよびＬ１ａ，Ｌ１ｂは、それぞれ油圧回路上並列に連結され、左右の送りローラの油圧モータは、供給側および吐き出し側で油圧回路上並列に連結される。油圧ポンプによって圧送され、切換え弁ＶのＢポートから出た圧油は、送りローラの油圧モータに供給され、続いて送りローラの油圧モータから吐き出された圧油は、切換え弁のＡポートに戻るようになっており、油圧ポンプと切換え弁との間の油圧回路には、図１の実施態様におけると同様にアキュムレータＱが設けられ、その上流には、逆止弁Ｃを有する放出弁Ｈが設けられている。アキュムレータの働きは、図１の実施態様におけるのと同じである。
【００１７】
図４は、本発明による木材送り装置の更に他の実施態様の油圧回路を示す。この実施態様では、送り装置は、油圧モータＲ１，Ｌ１によって回転駆動される左右送りローラ２，３を含む。左右送りローラの油圧回路は、供給側および吐き出し側で油圧回路上並列に連結される。油圧ポンプＰによって圧送され、切換え弁ＶのＢポートから出た圧油は、送りローラの油圧モータに供給され、続いて送りローラの油圧モータから吐き出された圧油は、切換え弁のＡポートに戻るようになってlいる。油圧ポンプＰと切換え弁Ｖとの間の油圧回路には、図１の実施態様におけると同様にアキュムレータＱが設けられ、その上流には、逆止弁Ｃを有する放出弁Ｈが設けられている。アキュムレータの働きは、図１の実施態様におけるのと同じである。
【００１８】
以上からわかるように、木材の高速送りに必要とされる圧油の流量は、放出弁の逆止弁を通してアキュムレータに貯留された圧油を送りローラの油圧モータに供給される圧油に補給することによって満たされる。
【符号の説明】
【００１９】
Ｐ    油圧ポンプ
Ｑ    アキュムレータ
Ｖ    放出弁
Ａ    ポート
Ｂ    ポート
Ｈ    放出弁
Ｃ    逆止弁
２    送りローラ
２ａ  送りローラ
２ｂ  送りローラ
３    送りローラ
３ａ  送りローラ
３ｂ  送りローラ
４    中ローラ
４ａ  中ローラ
４ｂ  中ローラ
Ｒ１  油圧モータ
Ｌ１  油圧モータ
Ｒ２  油圧モータ
Ｌ２  油圧モータ
Ｒ１ａ  油圧モータ
Ｒ１ｂ  油圧モータ
Ｌ１ａ  油圧モータ
Ｌ１ｂ  油圧モータ
Ｒ２ａ  油圧モータ
Ｒ２ｂ  油圧モータ
Ｌ２ａ  油圧モータ
Ｌ２ｂ  油圧モータ
【図１】
2019088224.tif 000003
【図２】
2019088224.tif 000004
【図３】
2019088224.tif 000005
【図４】
2019088224.tif 000006